【手続補正書】
【提出日】平成15年7月23日(2003.7.23)
【手続補正１】
【補正対象書類名】明細書
【補正対象項目名】全文
【補正方法】変更
【補正の内容】
【発明の名称】弾球遊技機の変動入賞装置
【特許請求の範囲】
【請求項１】球流入開口部が開設され、遊技盤表面に取り付けられる取付基板と、
前記球流入開口部に対して開閉可能な状態で取り付けられ、球流入開口部を閉じて遊技球を受け入れない第１状態と、開いて遊技球を受け入れ易い第２状態とに変換可能な扉部材と、
前記取付基板の裏側に形成され、前記球流入開口部から流入した遊技球が入賞する入賞口を内部に設けた凹室と、
を備えた弾球遊技機の変動入賞装置において、
前記凹室は、
前面と後面が開放した中空枠体に形成された球流入空部形成部材と、前記球流入空部形成部材の背面に着脱可能に止着されるカバー部材と、から構成され、
前記球流入空部形成部材は、
前記扉部材を開閉駆動する扉部材用駆動源と、前記入賞口へ入賞した遊技球を検出する球検出器とを中空枠体の周面部分に装着してユニット化され、
前記取付基板の球流入開口部に前面開口部を連通させて球流入空部形成部材を取付基板の後方に止着するとともに、該球流入空部形成部材の背面にカバー部材を止着して球流入空部形成部材の後面開口部を閉塞してなる弾球遊技機の変動入賞装置。
【請求項２】前記カバー部材は、前記凹室に臨む面に、装飾部材を備えたことを特徴とする請求項１に記載の弾球遊技機の変動入賞装置。
【請求項３】前記カバー部材は、前記凹室に臨む面に、球流入開口部から流入してきた遊技球の流下に規制を加える球流下規制部材を備え、
該球流下規制部材は、特定の球入賞口に向けて遊技球を案内する球流下方向案内部を備えたことを特徴とする請求項１または２記載の弾球遊技機の変動入賞装置。
【請求項４】前記カバー部材は、前記凹室に臨む面に、球検出器からの信号に基づいて生成される情報を可視表示する情報表示装置を備えたことを特徴とする請求項１から３のいずれかに記載の弾球遊技機の変動入賞装置。
【発明の詳細な説明】
【０００１】
【発明の属する技術分野】
本発明は、取付基板の球流入開口部に対して開閉可能な状態で扉部材を設け、この扉部材により球流入開口部を閉じて遊技球を受け入れない第１状態と、開いて遊技球を受け入れ易い第２状態とに変換可能なパチンコ遊技機等における変動入賞装置に関するものである。
【０００２】
【従来の技術】
変動入賞装置は、アタッカーとも呼ばれてパチンコ遊技機等の弾球遊技機に多用されている。この類のアタッカーの取付基板の裏側に形成した凹室（球流入空部）の内部には、流入した遊技球が入ると所謂大当りゲームを継続する権利が発生する継続入賞口や、この継続入賞口に入らなかった遊技球を入賞させる一般入賞口を設けたり、流入した遊技球が一般入賞口に、或は継続入賞口に入賞することを促進したり、一時的に制限したりする流下規制部材などを設けたりする。また、凹室の裏側には、扉部材を開閉するソレノイドを設けたり、装飾ランプ等を設け、内部には、継続入賞口に入賞した遊技球を検出する球検出器やアタッカーに入賞した遊技球の数をカウントするための球検出器を設けたりしている。
そして、パチンコ遊技機の機種が異なると、機種毎に取付基板のデザインを変えるばかりでなく、継続入賞口、一般入賞口の位置を変えたりしている。
【０００３】
【発明が解決しようとする課題】
しかしながら、機種が異なる度に取付基板だけでなく、凹室やソレノイドの取付構造などアタッカー全体を最初から設計することは、新たな設計に要する時間と労力が多大になり、開発業務の大きな負荷になっていた。
【０００４】
また、機種毎にアタッカーを新設計することは、設計開発の負荷が大きくなるばかりでなく、組立工程においても、凹室を組み付けてからソレノイドを取り付けたり、また、他のアタッカーではソレノイドを取り付けた後からでないと凹室を組み付けられないなど作業手順が異なってしまい、作業効率を低下する一因になっている。
【０００５】
一方、取付基板だけを新設計して他の部品の共通化を図ろうとすると、どの機種も表面デザインが異なるだけであって同一の機能でしかないので、遊技に変化を与え難くなり、これにより遊技者に飽きられ易く、遊技の興趣を減殺しかねない。
【０００６】
そこで、本発明は、新たに設計開発する際の労力を軽減することができ、組立作業の容易化を図り易く、しかも付加する機能の設計の自由度を狭くすることのない弾球遊技機の変動入賞装置を提供することを目的とする。
【０００７】
【課題を解決するための手段】
本発明は上記した目的を達成するために提案されたもので、請求項１記載の発明は、球流入開口部が開設され、遊技盤表面に取り付けられる取付基板と、
前記球流入開口部に対して開閉可能な状態で取り付けられ、球流入開口部を閉じて遊技球を受け入れない第１状態と、開いて遊技球を受け入れ易い第２状態とに変換可能な扉部材と、
前記取付基板の裏側に形成され、前記球流入開口部から流入した遊技球が入賞する入賞口を内部に設けた凹室と、
を備えた弾球遊技機の変動入賞装置において、
前記凹室は、
前面と後面が開放した中空枠体に形成された球流入空部形成部材と、前記球流入空部形成部材の背面に着脱可能に止着されるカバー部材と、から構成され、
前記球流入空部形成部材は、
前記扉部材を開閉駆動する扉部材用駆動源と、前記入賞口へ入賞した遊技球を検出する球検出器とを中空枠体の周面部分に装着してユニット化され、
前記取付基板の球流入開口部に前面開口部を連通させて球流入空部形成部材を取付基板の後方に止着するとともに、該球流入空部形成部材の背面にカバー部材を止着して球流入空部形成部材の後面開口部を閉塞してなる弾球遊技機の変動入賞装置である。
【０００８】
請求項２記載の発明は、前記カバー部材は、前記凹室に臨む面に、装飾部材を備えたことを特徴とする請求項１に記載の弾球遊技機の変動入賞装置である。
【０００９】
請求項３記載の発明は、前記カバー部材は、前記凹室に臨む面に、球流入開口部から流入してきた遊技球の流下に規制を加える球流下規制部材を備え、
該球流下規制部材は、特定の球入賞口に向けて遊技球を案内する球流下方向案内部を備えたことを特徴とする請求項１または２記載の弾球遊技機の変動入賞装置である。
【００１０】
請求項４記載の発明は、前記カバー部材は、前記凹室に臨む面に、球検出器からの信号に基づいて生成される情報を可視表示する情報表示装置を備えたことを特徴とする請求項１から３のいずれかに記載の弾球遊技機の変動入賞装置である。
【００１１】
【発明の実施の形態】
以下、本発明の実施の形態を図面に基づいて説明する。
図１は代表的な弾球遊技機であるパチンコ遊技機の遊技盤の正面図である。この遊技盤１の表面にはガイドレール等の区画部材２により区画した遊技領域３が形成され、この遊技領域３のほぼ中央に可変表示装置４を、この可変表示装置４の下方に始動口５を、始動口５の下方に変動入賞装置６を配置し、打球発射装置によって弾発した遊技球が遊技領域３の上部から障害釘に当って流下方向を変換しながら流下して、流下途中で上記始動口５に入賞すると、この入賞球を検出した球検出器からの信号により可変表示装置４により可変表示ゲームを開始するように構成してある。
【００１２】
可変表示ゲームは、例えば３桁の識別情報を視認不能な速度で可変表示して、所定時間経過した後に停止した態様が賞態様（例えば、予め設定した７７７）で停止した場合に大当りとなって大当りゲームに移行する。
【００１３】
この大当りゲームは、変動入賞装置６の扉部材７を閉じて遊技球を受け入れない（入賞しない）第１状態から扉部材７を開いて遊技球を受け入れ易い（入賞し易い）第２状態に変換することにより遊技者に利益を付与し易い状態（賞球を獲得し易い状態）で行なう遊技であり、第２状態は所定の時間（例えば２８秒間）が経過するまで或は所定数（例えば１０個）の遊技球が入賞するまでを１ラウンドとし、当該ラウンド中に変動入賞装置６内の継続入賞口（後述）に遊技球が入賞することを条件として所定ラウンド数（１６ラウンド）まで継続することができる。
【００１４】
上記した可変表示ゲーム及び大当りゲームは、パチンコ遊技機の裏側に設けた遊技盤制御装置の制御の下で行なわれる。この遊技盤制御装置は、図２に示すように、遊技制御等を行うＣＰＵ１１及びデータの一時記憶等を行うＲＡＭ１２を内蔵した役物用ＩＣ１３と、制御プログラム等を格納しているＲＯＭ１４と、クロック信号を分周してＣＰＵ１１のリセット割り込みをかける分周回路１５と、役物用ＩＣ１３等に必要な電源を供給する電源回路１６と、各種情報信号を受け入れるローパスフィルタ１７と、ローパスフィルタ１７からの信号をバスＢを介して役物用ＩＣ１３に出力するバッファゲート１８と、役物用ＩＣ１３からの信号をバスＢを介して受ける出力ポート１９と、出力ポート１９を介して入力される制御信号をドライブして出力するドライバ２０と、サウンドジェネレータ２１、アンプ２２、及びスピーカ２３からなり遊技に必要な効果音を生成する音声生成部等によって構成される。
【００１５】
ローパスフィルタ１７には、排出制御装置２６、特図始動スイッチ２７、カウントスイッチ２８、継続スイッチ２９等からの信号が入力されている。また、ドライバ２０からは、可変表示装置４の表示制御を行う表示制御装置３１、管理装置３２との間で情報を送受する外部情報端子３３、変動入賞装置６、特図始動記憶表示部３４、装飾ランプ・ＬＥＤ３５、検出結果表示装置８６、及び排出制御装置２６などに制御信号が出力される。
【００１６】
次に、変動入賞装置６について説明する。
この変動入賞装置６は、図３に示すように、遊技盤１の表面に取り付けられる取付基板４１と、取付基板４１に開設された球流入開口部４２に対して開閉可能な状態で取付基板４１に取り付けられた扉部材７と、前面と後面が開放した中空枠体として構成されて取付基板４１の裏側に取り付けられる球流入空部形成部材４３と、この球流入空部形成部材４３の後面を塞ぐカバー部材４４と、上記扉部材７を開閉する扉部材用駆動源としてのソレノイド４５と、球流入空部形成部材４３内に流入して入賞した遊技球を検出する球検出器４６などから構成されている。
【００１７】
取付基板４１は、例えば、合成樹脂製の板材により構成され、遊技盤５の表面に対して木ネジ等の固定具により止着される。扉部材７は、横長方形状の板片であり、その下端左右にそれぞれ突出形成された回動軸にて開閉自在に取り付けられ、閉状態（第１状態）と開状態（第２状態）とに変換可能となっている。そして、これらの取付基板４１及び扉部材７は、パチンコ遊技機の種類に応じて異なるデザインのものが設けられる。
【００１８】
図４に示すように、球流入空部形成部材４３は、カバー部材４４とともに凹室４７（球流入空部）を形成するものであり、取付基板４１の球流入開口部４２に対して前面側開口が連通するよう、取付基板４１の裏側に後方から止着される。そして、この球流入空部形成部材４３の外周面側部（図３の右側部。本発明の中空枠体の周面部分の一部に相当。）には上記したソレノイド４５を装着している。そして、この球流入空部形成部材４３の内周面底部には、大当りゲームを継続する権利が発生する継続入賞口４８を左側に、継続入賞口４８に入らなかった遊技球を入賞させる一般入賞口４９を右側に、及び凹室４７に流入した遊技球を篩い分ける山状の球誘導部材５０をほぼ中央に設けてある。また、球流入空部形成部材４３の外周面下部（本発明の中空枠体の周面部分の一部に相当）には上記した球検出器４６を装着している。この球検出器４６は、より詳しくは、継続入賞口４８に入賞した遊技球を検出する継続スイッチ５１や変動入賞装置６に入賞した遊技球をカウントするカウントスイッチ５２等により構成されている。即ち、この球流入空部形成部材４３は、パチンコ遊技機の種類に拘わらず共通な構成を装着してユニット化したものとなっている。
【００１９】
なお、ソレノイド４５及び球検出器４６など球流入空部形成部材４３に取り付ける部品は、球流入空部形成部材４３の前後幅の範囲内に収まる状態で配設している。これにより、取付基板４１やカバー部材４４が設計変更されても干渉し難くなる。
【００２０】
カバー部材４４は、球流入空部形成部材４３の後面側開口を閉塞する部材として構成されており、パチンコ遊技機の種類に応じて種々設計変更可能である。本実施形態においては、球流入空部形成部材４３の後面側開口とほぼ同一形状である方形状の板材であり、その四隅には球流入空部形成部材４３との取付部５３が設けられている。そして、このカバー部材４４は、ビス等の止着具により、球流入空部形成部材４３の背面に着脱可能に止着されて凹室４７を形成する（図４参照）。
【００２１】
そして、以上の構成を有する変動入賞装置６では、パチンコ遊技機の種類に拘わらず共通な構成をユニット化した球流入空部形成部材４３を用い、更に、この球流入空部形成部材４３を取付基板４１とカバー部材４４のそれぞれに着脱可能に止着しているので、この球流入空部形成部材４３を共通部品とすることができる。また、廃棄されたパチンコ遊技機からこの球流入空部形成部材４３を取り外し、他のパチンコ遊技機に使用することができる。従って、部品を共通化したことにより、量産が容易にできるとともに耐用期間未経過の部品については再利用できるので、パチンコ遊技機のコストダウンを図れる。
【００２２】
ところで、上記した実施形態（第１実施形態）におけるカバー部材４４は単なる方形状の板材により構成されていたが、このカバー部材４４に関しては種々の機能を付加することが可能である。以下、カバー部材４４の態様について説明する。
【００２３】
図５及び図６は、カバー部材の第２実施形態を説明する図で、図５は分解斜視図、図６は組付状態を説明する斜視図である。この第２実施形態では、カバー部材６１が装飾部材を備えている点に特徴を有している。
【００２４】
具体的には、図５に示すように、このカバー部材６１は半透明樹脂により構成されており、球流入空部形成部材４３との取付部６２が四隅に形成された乳白色の方形状樹脂板となっている。このカバー部材６１の表面は、装飾部材として機能するシール６３が貼着される装飾面となっており、背面には、ランプ・ＬＥＤ基板６４を取り付けるためのボス６５が後方に向けて突設している。そして、シール６３には、文字や図形等の透光性の意匠が描かれている。本実施形態においては、「ＬＵＫＫＹ」や「！！」といったメッセージや、継続入賞口４８の位置を明示する「Ｖ」マークが打ち抜かれている。なお、装飾部材は、このようなシール６３に限定されるものではなく、着色により装飾面に意匠を直接形成してもよく、装飾面に凹凸を形成してもよい。
【００２５】
ランプ・ＬＥＤ基板６４は、シール６３に設けられた透光性の意匠を光輝させるための光源を支持するための基板で、カバー部材６１の背面に後方から取り付けられる。そして、本実施形態におけるランプ・ＬＥＤ基板６４は、横長方形状のプリント配線基板となっている。そして、このランプ・ＬＥＤ基板６４の四隅には止めネジ６６を挿通するためのネジ孔６７が開設されている。また、表面上段には複数（図５では５個）のＬＥＤ６８が横方向に並んで取り付けられ、表面下段には一対のランプ６９が取り付けられている。
【００２６】
図６に示すように、背面にランプ・ＬＥＤ基板６４を取り付けたカバー部材６１は、上記した装飾面が球流入空部形成部材４３の空部に臨むように後面側開口に止着される。そして、パチンコ遊技で大当りとなった場合には、大当りゲームの実行にあわせてＬＥＤ６８やランプ６９の発光を制御して遊技の興趣を高める。
【００２７】
このように、この構成においては、球流入空部形成部材４３に着脱可能とされたカバー部材６１に装飾機能を付与したので、このカバー部材６１を交換するだけで、変動入賞装置６の装飾態様を変更することができる。そして、装飾態様に応じて複数種のカバー部材６１を予め用意しておき、工場での組付時にカバー部材６１を選択することにより、多様な装飾態様に対応することができる。さらに、本実施形態の如く、装飾部材をシール６３により構成することにより、複数種のシール６３を準備しておくことで多様な装飾態様に容易に対応することができる。また、シール６３は嵩が少ないので、在庫を保管するスペースが少なくてよい。従って、パチンコ遊技店や遊技者の要望に基づくきめ細かな対応を比較的容易に且つ低コストで行うことができる。一方、パチンコ遊技店としては、装飾態様に独自性を付与する等ができ、他のパチンコ遊技店との差別化を比較的容易に且つ低コストで実現することができる。また、遊技者としては、１つの機種が多様な装飾態様を有しているので、この装飾態様に基づく新たな興趣が得られる。
【００２８】
図７及び図８は、カバー部材の第３実施形態を説明する図で、図７は分解斜視図、図８は組付状態を説明する斜視図である。この第３実施形態では、取付基板４１の球流入開口部４２から流入した遊技球の流下に規制を加える球流下規制部材を備えている点に特徴を有している。
【００２９】
具体的には、図７に示すように、このカバー部材７１は、球流下規制部材７２と略同型状でこの球流下規制部材７２が挿通可能な開口７３をほぼ中央に備え、四隅に球流入空部形成部材４３との取付部７４が形成された方形状板材であり、その背面には流下方向規制機構７５のソレノイド７７が装着される規制機構取付部７６が後方に突設している。
【００３０】
この流下方向規制機構７５は、球流下規制部材７２と、この球流下規制部材７２にプランジャが接続されたソレノイド７７とから構成されている。
そして、この流下方向規制機構７５の球流下規制部材７２は、起立壁が左端に設けられるとともに右方向に下り傾斜した案内面７８（球流下方向案内部）を上部に備えた楔状部材であり、図８に示すように、カバー部材７１に設けられた開口７３から球流入空部形成部材４３とカバー部材７１とにより形成される凹室７９に臨むように取り付けられる。取り付けられた球流下規制部材７２は、ソレノイド７７の励磁状態に応じて前後方向に移動し、開口７３を通じて凹室７９（球流入空部）内に出没する。突出時にあっては、この球流下規制部材７２は球誘導部材５０の上方に位置し、凹室７９内に流入した遊技球を右方向、即ち、一般入賞口４９へ向けて案内する。
【００３１】
なお、上記した実施形態における球流下規制部材７２はソレノイド７７により電気的に凹室７９内への出没制御が可能なものを例示したが、例えば、球流下規制部材７２をカバー部材７１の前面（即ち、凹室７９に臨む面）に固定的に設けてもよい。
【００３２】
このように、この構成においては、カバー部材７１の球流入空部（凹室７９）に臨む面に、取付基板４１の球流入開口部４２から流入してきた遊技球の流下に規制を加える球流下規制部材７２を設けたので、球流入空部内における遊技球の移動に変化を与えることができ、球流入空部内における遊技球の移動に関し、球流入空部内の滞留時間を延長させたり或は移動経路に不規則性を付与したりすることができ、遊技性を高めることができる。特に、本実施形態のように楔状の球流下規制部材７２を出没可能に設けた構成においては、遊技性をより一層高めることができる。
【００３３】
さらに、楔状の球流下規制部材７２の突出により、遊技球を特定の球入賞口（一般入賞口４９）に向けて案内するよう構成したので、球流入空部内に設けられた複数の入賞口の各入賞口毎の入賞確率を変化させることができ、遊技に変化を与えることができる。
【００３４】
図９及び図１０は、カバー部材の第４実施形態を説明する図で、図９は分解斜視図、図１０は組付状態を説明する斜視図である。この第４実施形態では、球検出器４６からの信号に基づいて生成される情報を可視表示する情報表示装置を備えた点に特徴を有している。
【００３５】
具体的には、図９に示すように、このカバー部材８１は、例えば、球流入空部形成部材４３との取付部８２が四隅に形成された方形状樹脂板により構成されている。このカバー部材８１の下段右寄りには、大当りゲームのラウンド数表示用の開口８３とカウント数表示用の開口８４とが横に並んで開設され、各開口８３、８４の上縁には「ラウンド」、「カウント」の文字が印刷等により形成されている。また、下段左寄りには、開口や半透明樹脂等により透光領域が形成され、この透光領域を前方から覆うようにシール８５が貼着されている。本実施形態においては、このシール８５には、継続入賞口４８の位置を明示する透光性の「Ｖ」マークが形成されている。また、このカバー部材８１の背面には、検出結果表示装置８６を取り付けるためのボス８７が後方に向けて立設している。
【００３６】
検出結果表示装置８６は、球検出器４６からの信号に基づいて生成される情報を可視表示する情報表示装置として機能するもので、ランプ・ＬＥＤ基板８８、このランプ・ＬＥＤ基板８８の表面に取り付けられる数字表示器８９及びランプ９０等から構成されている。ランプ・ＬＥＤ基板８８は、横長方形状のプリント配線基板等により構成され、その四隅には止めネジを挿通するためのネジ孔９１が開設されている。数字表示器８９は、数字表示が可能な表示器、例えば７セグメントのＬＥＤ（発光ダイオード）等が用いられており、ラウンド数表示器９２とカウント数表示器９３の２つが設けられている。なお、この数字表示器８９については、液晶表示器等、情報表示が可能なものであればどのような構成のものでもよい。そして、各表示器９２、９３は、図１０に示すように、ランプ・ＬＥＤ基板８８の下段右寄りにて表示面がカバー部材８１の両開口８３、８４に臨むように、横に並んで取り付けられている。また、ランプ９０は、下段左寄りであってシール８５の後方に配設されている。
【００３７】
そして、ラウンド数表示器９２は大当りゲームのラウンド数を表示し、カウント数表示器９３は変動入賞装置に入賞した遊技球の数を表示する。即ち、各表示器９２、９３は、球検出器４６である継続スイッチ５１やカウントスイッチ５２からの信号に基づいて生成されるラウンド数情報や入賞球数情報を可視表示する。また、ランプ９０は継続スイッチ５１からの信号に応じて発光が制御され、継続スイッチ５１への入賞時に点灯する。
【００３８】
このように、本実施形態においては、カバー部材８１の球流入空部（凹室９４）に臨む面に、変動入賞装置６に入賞した遊技球を検出する球検出器４６（継続スイッチ５１、カウントスイッチ５２）からの信号に基づいて生成される情報（ラウンド数情報、入賞球数情報）を可視表示する情報表示装置（ラウンド数表示器９２、カウント数表示器９３）を備えているので、大当り遊技における継続入賞口４８への入賞状態やラウンド数等が変動入賞装置６にて視認可能となり、大当りゲームで最も気になる変動入賞装置６への遊技球の入賞の様子を見つつ、視線を他に移さずに大当りゲームの状態を認識できる。従って、遊技者は大当りゲームに集中することができる。さらに、本実施形態では、変動入賞装置６にて継続入賞口４８への入賞状態やラウンド数等の情報を表示しているので、この大当りゲーム期間中においては可変表示装置４に他の情報を表示させることができる。従って、遊技者の興趣を一層高めることができる。
【００３９】
【発明の効果】
以上説明したように本発明によれば、次の効果を奏する。即ち、請求項１記載の発明によれば、球流入開口部が開設され、遊技盤表面に取り付けられる取付基板と、前記球流入開口部に対して開閉可能な状態で取り付けられ、球流入開口部を閉じて遊技球を受け入れない第１状態と、開いて遊技球を受け入れ易い第２状態とに変換可能な扉部材と、前記取付基板の裏側に形成され、前記球流入開口部から流入した遊技球が入賞する入賞口を内部に設けた凹室とを備えた弾球遊技機の変動入賞装置において、前記凹室は、前面と後面が開放した中空枠体に形成された球流入空部形成部材と、前記球流入空部形成部材の背面に着脱可能に止着されるカバー部材と、から構成され、前記球流入空部形成部材は、前記扉部材を開閉駆動する扉部材用駆動源と、前記入賞口へ入賞した遊技球を検出する球検出器とを中空枠体の周面部分に装着してユニット化され、前記取付基板の球流入開口部に前面開口部を連通させて球流入空部形成部材を取付基板の後方に止着するとともに、該球流入空部形成部材の背面にカバー部材を止着して球流入空部形成部材の後面開口部を閉塞したので、球流入空部形成部材を共通部品とすることができる。また、廃棄処分された遊技機から球流入空部形成部材を取り外し、他の遊技機に流用することができる。従って、部品を共通化したことにより、量産が容易にできるとともに耐用期間未経過の部品については再利用できるので、遊技機のコストダウンを図れる。
【００４０】
また、請求項２記載の発明によれば、前記カバー部材は、前記凹室に臨む面に、装飾部材を備えたので、カバー部材を交換するだけで、変動入賞装置の装飾態様を変更することができる。そして、装飾態様に応じて複数種のカバー部材を予め用意しておき、工場での組付時にカバー部材を選択することにより、多様な装飾態様に対応することができる。従って、遊技店や遊技者の要望に基づくきめ細かな対応を比較的容易に且つ低コストで行うことができる。一方、遊技店としては、装飾態様に独自性を付与する等ができ、他遊技店との差別化を比較的容易に且つ低コストで実現することができる。また、遊技者としては、１つの機種が多様な装飾態様を有しているので、この装飾態様に基づく新たな興趣が得られる。
【００４１】
また、請求項３記載の発明によれば、前記カバー部材は、前記凹室に臨む面に、球流入開口部から流入してきた遊技球の流下に規制を加える球流下規制部材を備えたので、凹室内における遊技球の移動に変化を与えることができ、凹室内における遊技球の移動に関し、凹室内の滞留時間を延長させたり或は移動経路に不規則性を付与したりすることができ、遊技性を高めることができる。
【００４２】
そして、前記球流下規制部材は、特定の球入賞口に向けて遊技球を案内する球流下方向案内部を備えたので、凹室内に設けられた複数の入賞口の各入賞口毎の入賞確率を変化させることができ、遊技に変化を与えることができる。
【００４３】
また、請求項４記載の発明によれば、前記カバー部材は、前記凹室に臨む面に、球検出器からの信号に基づいて生成される情報を可視表示する情報表示装置を備えたので、大当り遊技における特定の入賞口への入賞状態やラウンド数等が変動入賞装置にて視認可能となり、大当りゲームで最も気になる変動入賞装置への遊技球の入賞の様子を見つつ、視線を他に移さずに大当りゲームの状態を認識できる。従って、遊技者は大当りゲームに集中することができる。
【図面の簡単な説明】
【図１】パチンコ遊技機の遊技盤の正面図である。
【図２】遊技盤制御装置の構成を説明するブロック図である。
【図３】変動入賞装置の構成を説明する分解斜視図である。
【図４】球流入空部形成部材とカバー部材との組付状態を説明する斜視図である。
【図５】カバー部材の第２実施形態を説明する分解斜視図である。
【図６】同じくカバー部材の組付状態を説明する斜視図である。
【図７】カバー部材の第３実施形態を説明する分解斜視図である。
【図８】同じくカバー部材の組付状態を説明する斜視図である。
【図９】カバー部材の第４実施形態を説明する分解斜視図である。
【図１０】同じくカバー部材の組付状態を説明する斜視図である。
【符号の説明】
１  遊技盤
２  区画部材
３  遊技領域
４  可変表示装置
５  始動口
６  変動入賞装置
７  扉部材
１１  ＣＰＵ
１２  ＲＡＭ
１３  役物用ＩＣ
１４  ＲＯＭ
１５  分周回路
１６  電源回路
１７  ローパスフィルタ
１８  バッファゲート
１９  出力ポート
２０  ドライバ
２１  サウンドジェネレータ
２２  アンプ
２３  スピーカ
２６  排出制御装置
２７  特図始動スイッチ
２８  カウントスイッチ
２９  継続スイッチ
３１  表示制御装置
３２  管理装置
３３  外部情報端子
３４  特図始動記憶表示器
３５  装飾ランプ・ＬＥＤ
４１  取付基板
４２  球流入開口部
４３  球流入空部形成部材
４４  カバー部材
４５  ソレノイド
４６  球検出器
４７  凹室
４８  継続入賞口
４９  一般入賞口
５０  球誘導部材
５１  継続スイッチ
５２  カウントスイッチ
５３  取付部
６１  カバー部材
６２  取付部
６３  シール
６４  ランプ・ＬＥＤ基板
６５  ボス
６６  止めネジ
６７  ネジ孔
６８  ＬＥＤ
６９  ランプ
７１  カバー部材
７２  球流下規制部材
７３  開口
７４  取付部
７５  流下方向規制機構
７６  規制機構取付部
７７  ソレノイド
７８  案内面
７９  凹室
８１  カバー部材
８２  取付部
８３  ラウンド数表示用の開口
８４  カウント数表示用の開口
８５  シール
８６  検出結果表示装置
８７  ボス
８８  ランプ・ＬＥＤ基板
８９  数字表示器
９０  ランプ
９１  ネジ孔
９２  ラウンド数表示器
９３  カウント数表示器
９４  凹室